(57)【特許請求の範囲】
【請求項１】
ベースの上面に立設した電磁石ブロックの励磁，消磁に基づいて回動する可動鉄片でカードを回動し、このカードで可動接触片を回動して接点を開閉する電磁継電器において、
前記ベースの上面のうち、前記可動鉄片と前記可動接触片との間に一対の係合受け部を突設し、前記係合受け部に係合孔を同一軸心上にそれぞれ設けるとともに、少なくとも一方の係合受け部の斜め上方に前記係合孔に連通する切り欠き部を設ける一方、前記カードの下端部に連結部を介して回動軸を延在し、前記カードの回動軸を前記係合孔の軸心に沿ってスライド移動し、前記係合受け部の切り欠き部に前記カードの連結部を挿通することにより、一対の前記係合受け部の係合孔に前記回動軸の両端部をそれぞれ係合して前記カードを回動可能に支持したことを特徴とする電磁継電器。
【請求項２】
前記カードの回動軸の少なくとも片側先端部を、前記ベースに嵌合したケースの内側面に当接させて抜け止めしたことを特徴とする請求項１に記載の電磁継電器。
【請求項３】
前記カードに、前記係合受け部の内向面に当接する突起を設けたことを特徴とする請求項１または２に記載の電磁継電器。
【発明の詳細な説明】
【０００１】
【発明の属する技術分野】
本発明は電磁継電器、特に、カードの組み付け構造に関する。
【０００２】
【従来の技術】
従来、電磁継電器としては、例えば、図１２ないし図１４に示すように、ベース１の上面中央部に突設した係合受け部２の一方側に、可動鉄片３を回動可能に支持した電磁石ブロック４を立設し、その反対側に可動接触片５および固定接触片６を立設したものがある。
そして、図１２に示すように、前記係合受け部２に設けた貫通孔２ａの両側開口部に、カード７に設けた一対の内向する爪部７ａ，７ｂ（図１４）を上方からそれぞれ係合することにより、回動可能に支持していた。
【０００３】
【発明が解決しようとする課題】
しかしながら、前述の電磁継電器では、前記係合受け部２にカード７を上方から組み付けようとすると、電磁石ブロック４側に傾斜する可動接触片５を治具（図示せず）で固定接触片６側に押圧し、両者間の距離を広げた後、カード７を可動接触片５の上端部から基部に挿入して組み付けねばならない。このため、カード７の組み付けに手間がかかるだけでなく、可動接触片５が塑性変形しやすく、組立精度，動作特性にバラツキが生じるという問題点があった。
【０００４】
本発明は、前記問題点に鑑み、組立が容易で動作特性にバラツキが生じない電磁継電器を提供することを目的とする。
【０００５】
【課題を解決するための手段】
本発明にかかる電磁継電器は、前記目的を達成するため、ベースの上面に立設した電磁石ブロックの励磁，消磁に基づいて回動する可動鉄片でカードを回動し、このカードで可動接触片を回動して接点を開閉する電磁継電器において、前記ベースの上面のうち、前記可動鉄片と前記可動接触片との間に一対の係合受け部を突設し、前記係合受け部に係合孔を同一軸心上にそれぞれ設けるとともに、少なくとも一方の係合受け部の斜め上方に前記係合孔に連通する切り欠き部を設ける一方、前記カードの下端部に連結部を介して回動軸を延在し、前記カードの回動軸を前記係合孔の軸心に沿ってスライド移動し、前記係合受け部の切り欠き部に前記カードの連結部を挿通することにより、一対の前記係合受け部の係合孔に前記回動軸の両端部をそれぞれ係合して前記カードを回動可能に支持した構成としたものである。
【０００６】
また、前記カードの回動軸の少なくとも片側先端部を、前記ベースに嵌合したケースの内側面に当接させて抜け止めしてもよい。
さらに、前記カードに、前記係合受け部の内向面に当接する突起を設けてもよい。
【０００７】
また、前記ベースの上面に突設した１個の係合受け部の貫通孔に、カードの下端部から略Ｌ字形状に延在し、かつ、先端に弾性爪部を形成した係合部を挿入して抜け止めしてもよい。
さらに、前記電磁石ブロックを形成するスプールの上方鍔部に、前記カードを回動可能に吊り下げてもよい。
【０００８】
【発明の実施の形態】
次に、本発明にかかる実施形態を図１ないし図１１の添付図面に従って説明する。
第１実施形態にかかる電磁継電器は、図１ないし図７に示すように、ベース１０に立設した電磁石ブロック２０の励磁，消磁に基づいて回動する可動鉄片３０で絶縁機能を有するカード４０を回動し、このカード４０で前記ベース１０に設けた接点機構５０を駆動するものである。
【０００９】
ベース１０は、その上面中央部に絶縁壁１１を突設したものである。そして、この絶縁壁１１の上端面の両側縁部から支持体１２，１２が上方に延在し、この支持体１２には係合孔１３が設けられている。また、前記絶縁壁１１の基部には後述するカード４０を回動可能に支持する一対の係合受け部１４，１５が形成されている。前記係合受け部１４，１５は、同一軸心上に係合孔１４ａ，１５ａをそれぞれ設けてある。さらに、前記係合受け部１４には後述するカード４０の連結部４７を側方から挿通するため、前記係合孔１４ａに連通する切り欠き部１４ｂを設けてある。
【００１０】
さらに、前記ベース１０には、その側面に設けた圧入溝１６，１７に可動接触片５１および固定接触片５２の端子部５１ａ，５２ａを側方からそれぞれ圧入することにより、接点機構５０が形成され、可動接点５３が固定接点５４に接離可能に対向している。なお、５５は、固定接触片５２の引き出し端子である。
【００１１】
電磁石ブロック２０は、両端に鍔部２１，２２を有するスプール２３にコイル２４を巻回し、その引き出し線を鍔部２１に圧入したコイル端子２５のからげ部２５ａにからげてハンダ付けしたものである。そして、前記スプール２３の中心孔に断面略Ｔ字形状の鉄芯２６を挿通し（図２）、突出する上端部を磁極部２６ａとする一方、突出する下端部２６ｂを、略Ｌ字形状のヨーク２７の水平部にカシメ固定してある。
【００１２】
さらに、前記ヨーク２７の上端面の片側縁部に、前記スプール２３の鍔部２１に組み付けたヒンジばね３１を介し、可動鉄片３０が回動可能に支持されている。
【００１３】
そして、前記電磁石ブロック２０を前記ベース１０の上方から前記絶縁壁１１の支持体１２に沿って押し下げ、前記ヨーク２７の両側面の上端部に設けた突起２７ａを支持体１２の係合孔１３に係合することにより、ベース１０に電磁石ブロック２０が抜け止めされる。なお、説明の便宜上、図２においてコイル２４およびヒンジばね３１は図示されていない。
【００１４】
カード４０は、図３および図４に示すように、その片面に第１，第２押圧突部４１，４２を側方に突設する一方、その反対面に第３押圧突部４３を形成してあるとともに、その下端部に連結部４７を介して回動軸４４を延在してある。前記連結部４７は、前記係合受け部１４の切り欠き部１４ｂに挿通可能な厚さ寸法であり、前記回動軸４４の両端部は係合受け部１４，１５の係合孔１４ａ，１５ａにそれぞれ係合可能である。
また、同一の高さに位置する前記カード４０の第１押圧突部４１および第３押圧突部４３の先端面は、図４に示すように、円弧４５の一部を形成している。
さらに、前記回動軸４４近傍に位置する連結部４７の側面には、回動の際に生じる摩擦力を小さくするため、突起４６が設けられている。
【００１５】
そして、図６に示す前記カード４０を若干傾けたままの状態で、前記回動軸４４を係合孔１４ａ，１５ａの軸心に沿ってスライド移動させ、連結部４７を係合受け部１４の切り欠き部１４ｂに挿通し、前記回動軸４４の両端を係合受け部１４，１５の係合孔１４ａ，１５ａにそれぞれ挿入して係合することにより、カード４０がベース１０に回動自在に支持される（図５）。
ただし、前記カード４０の突起４６が係合受け部１５の内向面に当接するので、摩擦力は小さい。
なお、説明の便宜上、図５および図６において、電磁石部２０，可動鉄片３０および接点機構５０は省略されている。
【００１６】
さらに、前記ベース１０に図示しない箱形ケース２０を上方から嵌合することにより、回動軸４４の両端部がケース２０の内側面に当接して抜け止めされ、組立作業が完了する。
本実施形態によれば、カード４０の回動軸４４の全長がベース１０の巾寸法とほぼ同一である。このため、カード４０は巾方向にガタツキを生ずることなく、回動できるという利点がある。
【００１７】
次に、前述の構成からなる電磁継電器の動作について説明する。
すなわち、電磁石ブロック２０が無励磁である場合、可動接触片５１のばね力でカード４０が可動鉄片３０の垂直下端部を押圧し、その可動鉄片３０の水平先端部が鉄芯２６の磁極部２６ａから開離しているとともに、可動接点５３が固定接点５４から開離している。
【００１８】
そして、前記電磁石ブロック２０のコイル２４に電圧を印加して励磁すると、鉄芯２６の磁極部２６ａが可動鉄片３０の水平先端部を吸引する。このため、可動接触片５１のばね力に抗し、可動鉄片３０がヨーク２７の上端面の片側縁部を支点に回動し、可動鉄片３０の垂直下端部がカード４０の第３押圧突部４３を押圧する。この結果、カード４０が回動軸４４を中心に回動し、第１押圧突部４１が可動接触片５１の背面の中間部を押圧する。このため、可動接触片５１が回動し、可動接点５３が固定接点５４に接触した後、第２押圧突部４２が可動接触片５１の背面を押圧してチャタリング現象を防止し、ついで、可動鉄片３０の水平先端部が鉄芯２６の磁極部２６ａに吸着する。
【００１９】
前記電磁石ブロック２０の励磁を解くと、可動接触片５１のばね力により、可動接点５３が固定接点５４から開離するとともに、カード４０が前述と逆方向に回動し、可動鉄片３０も逆方向に回動して元の状態に復帰する。
【００２０】
本実施形態によれば、可動接触片５１の背面のうち、可動接点５３の近傍に第２押圧突部４２が当接するので、動作時，復帰時のチャタリング現象を防止できるという利点がある。
【００２１】
第２実施形態にかかる電磁継電器は、図８ないし図１０に示すように、前述第１実施形態は一対の係合受け部１４，１５にカード４０を係合する場合であるのに対し、ベース１０の中央部に設けた１個の係合受け部１８にカード４０を回動可能に支持する場合である。
【００２２】
前記カード４０は、図１０に示すように、カード本体４０ａの下端部に略Ｌ字形状の係合部４７が形成されている。この係合部４７は、その先端部が弾性爪部４７ａとなっている。
【００２３】
したがって、図９に示すように、ベース１０に立設した電磁石ブロック２０に回動可能に支持された可動鉄片３０と、接点機構５０の可動接触片５１との間に、カード４０を側方から挿入し、係合受け部１８の貫通孔１８ａに係合部４７の弾性爪部４７ａを弾性変形させながら圧入することにより、抜け止めされる。他は前述の第１実施形態と同様であるので、説明を省略する。
【００２４】
本実施形態によれば、ベース１０に１個の係合受け部１８を突設するだけでよく、成形，組立作業が容易になるという利点がある。
【００２５】
第３実施形態にかかる電磁継電器は、図１１に示すように、前述の実施形態がベース１０に設けた係合受け部１４，１５あるいは１８にカード４０を回動可能に支持する場合であるのに対し、ベース１０に立設した電磁石ブロック２を形成するスプール２３の鍔部２１に、カード４０を回動可能に吊り下げたものである。
なお、同一部品には同一番号を付して説明を省略する。ただし、コイル，ヒンジばねは、説明の便宜上、省略されている。
【００２６】
【発明の効果】
以上の説明から明らかなように、本発明の請求項１にかかる電磁継電器によれば、可動鉄片と可動接触片との間にカードをスライド移動させて挿入するので、挿入すべき距離が従来例よりも短くなり、組立作業が容易になる。特に、可動鉄片と可動接触片との対向距離が短くとも、両者の間にカードを容易に挿入でき、装置の大型化を防止できる。
また、カードをスライド移動させて可動接触片を押し広げながら挿入するので、従来例のように治具で可動接触片を必要以上に押し広げる必要がない。このため、生産工数が減少するだけでなく、可動接触片が塑性変形することがなく、組立精度，動作特性にバラツキが生じない。
さらに、可動接触片，固定接触片の組立方向をカードの組立方向と同一にすれば、部品の組立方向が揃い、作業効率が向上する。
そして、ベースに突設した一対の係合受け部にカードの両端部を回動可能に支持するので、カードにガタツキが生じず、動作特性のバラツキを防止できる。
請求項２によれば、カードの回動軸の先端部が、ベースに組み付けたケースの内側面に当接するので、特別な構造，操作を必要とせずにカードの抜け落ちを防止でき、便利である。
請求項３によれば、係合受け部の内向面にカードの突起が当接するので、カードが係合部に点接触することになる。このため、摩擦が小さく、円滑な動作特性を有する電磁継電器が得られるという効果がある。
【図面の簡単な説明】
【図１】本発明の第１実施形態にかかる電磁継電器を示す斜視図である。
【図２】図１で示した電磁継電器の背面図である。
【図３】図１のカードを図示し、図（ａ）は一方側から視た斜視図であり、図（ｂ）は他方側から視た斜視図である。
【図４】図１のカードを図示し、図（ａ）は平面図、図（ｂ）は正面図、図（ｃ）は右側面図である。
【図５】図１で示した電磁継電器の要部斜視図である。
【図６】図５の分解斜視図である。
【図７】図１で示したベースの斜視図である。
【図８】本発明の第２実施形態にかかる電磁継電器を示す側面図である。
【図９】図８で示した電磁継電磁の分解斜視図である。
【図１０】図８で示したカードの斜視図である。
【図１１】本発明の第３実施形態にかかる電磁継電器を示す側面図である。
【図１２】従来例にかかる電磁継電器の分解斜視図である。
【図１３】図１２で示した電磁継電器の側面図である。
【図１４】図１２のカードを示す斜視図である。
【符号の説明】
１０…ベース、１１…絶縁壁、１２…支持体、１３…係合孔、１４，１５…係合受け部、１４ａ，１５ａ…係合孔、１４ｂ…切り欠き部、１６，１７…圧入溝、２０…電磁石ブロック、２１，２２…鍔部、２３…スプール、２６…鉄芯、２７…ヨーク、３０…可動鉄片、４０…カード、４４…回動軸、４７…連結部、５０…接点機構、５１…可動接触片、５２…固定接触片。
【図１】
0003552406.tif 000002
【図２】
0003552406.tif 000003
【図３】
0003552406.tif 000004
【図４】
0003552406.tif 000005
【図５】
0003552406.tif 000006
【図６】
0003552406.tif 000007
【図７】
0003552406.tif 000008
【図８】
0003552406.tif 000009
【図９】
0003552406.tif 000010
【図１０】
0003552406.tif 000011
【図１１】
0003552406.tif 000012
【図１２】
0003552406.tif 000013
【図１３】
0003552406.tif 000014
【図１４】
0003552406.tif 000015